(57)【要約】【目的】簡単な構造で安価に製作出来、中間メンバーと固定側メンバーの確実なロック状態を得ることが出来、安全性に優れたスライドレールを提供する。【構成】中間メンバーが固定側メンバーに対し最大引き出され、かつ、移動側メンバーが中間メンバーに対し所定距離引き出された状態では、中間メンバーと固定側メンバーとをロック状態となし、固定側メンバーと中間メンバーのロック状態で、移動側メンバーが中間メンバーの所定位置まで収納された時には、中間メンバーと固定側メンバーとのロック状態を解除するロック装置を設けたスライドレールにおいて、ロック装置は、中間メンバーに設けられたロック部材と、固定側メンバーに設けられたロック部材と係止するストッパー部より構成され、ロック部材は常にストッパー部に係止するよう付勢され、ストッパー部はロック部材が係止する係止部を中間メンバーの摺動方向に複数個有しているものである。【選択図】    図３
2006192041.tif 000002
【特許請求の範囲】
【請求項１】
固定側メンバーと、固定側メンバーに摺動自在に保持された中間メンバーと、中間メンバーに摺動自在に保持された移動側メンバーよりなり、中間メンバーが固定側メンバーに対し最大引き出され、かつ、移動側メンバーが中間メンバーに対し、所定距離引き出された状態で、中間メンバーが固定側メンバーに不用意に収納されないよう両者をロック状態となすロック装置が中間メンバーと固定側メンバー間に設けられ、固定側メンバーと中間メンバーのロック状態で、移動側メンバーが中間メンバーの所定位置まで収納された時、中間メンバーと固定側メンバーのロック状態が解除されるスライドレールにおいて、ロック装置は、中間メンバーに設けられたロック部材と、固定側メンバーに設けられたロック部材と係止するストッパー部より構成され、ロック部材は常にストッパー部に係止するよう付勢され、ストッパー部はロック部材が係止する係止部を中間メンバーの摺動方向に複数個有していることを特徴とするスライドレール。
【発明の詳細な説明】
【技術分野】
【０００１】
本発明は、引出しあるいは機器類を本体側から引出した時、最大引出し状態で一旦引き出し方向と収納方向の摺動を停止させ、さらに点検、修理等のため、引出しあるいは機器類を抜き出す時は、ラッチ部材を操作して、移動側メンバーを機器類と共に本体側より抜き出し、その後、再び移動側メンバーを本体側に装着可能としたスライドレールに関するものである。
【背景技術】
【０００２】
従来、上記スライドレールは、固定側メンバーと、固定側メンバーに摺動自在に保持された中間メンバーと、中間メンバーに摺動自在に保持された移動側メンバーよりなり、中間メンバーが固定側メンバーに対し最大引き出され、かつ、移動側メンバーが中間メンバーに対し、所定距離引き出された状態で、中間メンバーが固定側メンバーに不用意に収納されないよう両者をロック状態となすロック装置が中間メンバーと固定側メンバー間に設けられ、固定側メンバーと中間メンバーのロック状態で、移動側メンバーが中間メンバーに対し最も引き出された状態で、移動側メンバーに設けられたラッチ部材が中間メンバーの一部（ラッチ係り）に係合して、中間メンバーと移動側メンバーの引き出し方向と収納方向の摺動を停止させた状態とし、機器類等の点検中に不用意に各メンバーが収納されないようにして、作業者の安全を確保し、機器類を抜き出し、あるいは持ち帰って修理する必要があるときは、ラッチ部材を操作して移動側メンバーを機器類と共に本体側より抜き出し、その後、再び移動側メンバーを本体側に装着し、ラッチ部材を操作して、移動側メンバーを中間メンバーに収納していき、所定位置まで収納された時、移動側メンバーの後端部で中間メンバーと固定側メンバーのロック状態を解除するようになっていた。（例えば特許文献１参照。）
【０００３】
すなわち、上記スライドレールの基本的な動きは、図１１に示すように、スライドレールの固定側メンバー１ａと中間メンバー２ａ間及び中間メンバー２ａと移動側メンバー３ａ間には、回転可能にボールを保持する第１ボールリテーナ５ａと、第２ボールリテーナ６ａを介在させているので、移動側メンバー３ａを収納した状態で中間メンバー２ａを固定側メンバー１ａより引き出すと、第１ボールリテーナ５ａは、中間メンバー２ａの２分の１の摺動距離を移動し、第１ボールリテーナ５ａの前端が、固定側メンバー１ａに形成された第１リテーナ前端ストッパー１１ａに当接し、同時に中間メンバー２ａの後端に形成され第１リテーナ後端ストッパー２１ａが第１ボールリテーナ５ａの後端に当接して、中間メンバー２ａの固定側メンバー１ａに対する引き出し方向への摺動は停止する。
【０００４】
次に、中間メンバー２ａに対し、移動側メンバー３ａが前方に引き出され、移動側メンバー３ａの後端がロック装置４ａの前方に移動したとき、ロック部材７ａはバネ材７１ａの弾性によって、図１１で反時計回りの方向に回動し、ロック部材７ａの後端部がストッパー部８ａの前端面の前方に位置し、中間メンバー２ａと固定側メンバー１ａはロック状態となる。（図１１に示す状態）
そして、中間メンバー２ａに対し移動側メンバー３ａが最も引き出されると、移動側メンバー３ａに設けたラッチ部材（図示せず。）が、中間メンバー２ａの前端部に形成したラッチ係り（図示せず。）に係合し、移動側メンバー３ａは中間メンバー２ａに対して最も引き出された状態で維持される。
【０００５】
そして、点検や修理の為、移動側メンバーと共に引出しあるいは機器類を機器本体より抜き出す場合は、前記ラッチ部材を操作してラッチ係りとの係合を解除して移動側メンバー３ａを中間メンバー２ａより抜き出す。
一方、抜き出された移動側メンバー３ａを中間メンバー２ａに再び装着する場合は、移動側メンバー３ａの後端を中間メンバー２ａの前端に装着し押し込んでいく。
この時、中間メンバー２ａは、固定側メンバー１ａに対してロック状態となっているので、中間メンバー２ａは不用意に固定側メンバー１ａ内に収納されることがなく安全に装着作業ができる。
そして、移動側メンバー３ａが収納されて所定の位置に達すると、移動側メンバー３ａの後端がバネ材７１ａの弾性に抗してロック部材７ａの上端部分を後方に押しやり、ロック部材７ａを図１１で時計まわりの方向に回動させ、ロック部材７ａの後端部とストッパー部８ａの前端面の係止状態を解除し、中間メンバー２ａは固定側メンバー１ａに収納されていく。
【０００６】
以上がスライドレールの基本的な動きであるが、中間メンバー２ａの固定側メンバー１ａに対する摺動距離と第１ボールリテーナ５ａの移動距離は、理論値としては１対２分の１となるが、摺動運動の繰り返しやボールと各メンバー１ａ、２ａとのスリップ現象によって理論値との間に除々にズレが生じる。
したがって、このズレを見越して、中間メンバー２ａが固定側メンバー１ａに対して最大引き出されなくても、ロック部材７ａが確実にストッパー部８ａの前方に位置するよう、ストッパー部８ａを所定寸法後方に位置するように設けている。
しかし、このために、中間メンバー２ａが最も引き出された状態から所定寸法（図１１で符号Ｌで示す寸法）収納方向に移動した状態でロック部材７ａとストッパー部８ａが係止することになり、中間メンバー２ａと固定側メンバー１ａのロック状態で、摺動方向にがたつきが発生することとなっていた。
【０００７】
一方、中間メンバー２ａと固定側メンバー１ａの摺動が何度も繰り替えされているうちに、第１ボールリテーナ５ａの位置が初期状態より除々にずれはじめ、第１ボールリテーナ５ａの前端が、第１リテーナ前端ストッパー１１ａに当接した状態となっても、第１リテーナ後端ストッパー２１ａが第１ボールリテーナ５ａの後端に当接せず、隙間Ｌ１が生じたり（図１２に示す状態。）、あるいは、第１リテーナ後端ストッパー２１ａが第１ボールリテーナ５ａの後端に当接した状態となっても、第１ボールリテーナ５ａの前端が、第１リテーナ前端ストッパー１１ａに当接せず隙間Ｌ２が生じる場合（図１３に示す状態。）があった。
【０００８】
そして、上記の場合、第１ボールリテーナ５ａに保持されて、中間メンバー２ａと固定側メンバー１ａ間に位置する多数のボールは転動する事が出来ない状態となり、中間メンバー２ａの摺動は停止し、次に、中間メンバー２ａに対し移動側メンバー３ａが摺動する事となる。この時、中間メンバー２ａは固定側メンバー１ａに対して所定の位置まで引き出されていないので、ロック部材７ａはストッパー部８ａの前方に位置することが出来ず、従って中間メンバー２ａと固定側メンバー１ａはロックされていない状態でありながら、移動側メンバー３ａが中間メンバー２ａに対し最も引き出された状態となり停止する。
したがって、点検者が点検のため覗き込むようにして、機器類に手をかけたりすると、中間メンバー２ａが固定側メンバー１ａに不意に収納され、点検者が頭部を機器本体にぶつけたり、あるいは指を機器本体とスライドレール間に挟んだりする場合があり、安全性が十分でなかった。
又、修理の為、移動側メンバーと共に引出しあるいは機器類を機器本体より抜き出し、その後、移動側メンバー３ａを中間メンバー２ａに再び装着しようとすると、中間メンバー２ａが急に固定側メンバー１ａに収納され、装着しようとしていた機器類を落下させ損傷させたり、あるいは点検者が機器類と共に前のめりになって、頭部あるいは指先を傷つけたりする場合があった。
【０００９】
【特許文献１】米国特許第４５６０２１２号明細書
【発明の開示】
【発明が解決しようとする課題】
【００１０】
本発明は、簡単な構造で安価に製作出来、中間メンバーと固定側メンバーの確実なロック状態を得ることが出来、安全性に優れたスライドレールを提供することを課題とする。
【課題を解決するための手段】
【００１１】
そこで、上記課題を解決する為、本発明が第１の手段として構成したところは、固定側メンバーと、固定側メンバーに摺動自在に保持された中間メンバーと、中間メンバーに摺動自在に保持された移動側メンバーよりなり、中間メンバーが固定側メンバーに対し最大引き出され、かつ、移動側メンバーが中間メンバーに対し、所定距離引き出された状態で、中間メンバーが固定側メンバーに不用意に収納されないよう両者をロック状態となすロック装置が中間メンバーと固定側メンバー間に設けられ、固定側メンバーと中間メンバーのロック状態で、移動側メンバーが中間メンバーの所定位置まで収納された時、中間メンバーと固定側メンバーのロック状態が解除されるスライドレールにおいて、ロック装置は、中間メンバーに設けられたロック部材と、固定側メンバーに設けられたロック部材と係止するストッパー部より構成され、ロック部材は常にストッパー部に係止するよう付勢され、ストッパー部はロック部材が係止する係止部を中間メンバーの摺動方向に複数個有しているものである。
【発明の効果】
【００１２】
請求項１に記載の発明によると、ストッパー部はロック部材が係止する係止部を中間メンバーの摺動方向に複数個有しているので、中間メンバーと固定側メンバーの摺動運動の繰り返しによって、中間メンバーと固定側メンバー間に介在するリテーナの位置にズレが生じ、中間メンバーが、固定側メンバーに対し最大引出し位置に達しない状態で停止しても、ロック部材はいずれかの係止部に係止するので中間メンバーと固定側メンバーのロック状態は確実に維持され、安全である。
又、係止部を中間メンバーの摺動方向に複数個形成するだけの簡単な構成であるので安価に製作できる。
ストッパー部の係止部は、固定側メンバーの基板を中間メンバー側に膨出せしめて、引き出し側端面を当接面としているので、加工が容易で安価に製作出来る。
【発明を実施するための最良の形態】
【００１３】
固定側メンバーと、固定側メンバーに摺動自在に保持された中間メンバーと、中間メンバーに摺動自在に保持された移動側メンバーよりなり、中間メンバーが固定側メンバーに対し最大引き出され、かつ、移動側メンバーが中間メンバーに対し、所定距離引き出された状態で、中間メンバーが固定側メンバーに不用意に収納されないよう両者をロック状態となすロック装置が中間メンバーと固定側メンバー間に設けられ、固定側メンバーと中間メンバーのロック状態で、移動側メンバーが中間メンバーの所定位置まで収納された時、中間メンバーと固定側メンバーのロック状態が解除されるスライドレールにおいて、ロック装置は、中間メンバーに設けられたロック部材と、固定側メンバーに設けられたロック部材と係止するストッパー部より構成され、ロック部材は常にストッパー部に係止するよう付勢され、ストッパー部はロック部材が係止する係止部を中間メンバーの摺動方向に複数個有しているものである。
【実施例】
【００１４】
以下、第１実施例を図面に基づいて説明する。
図１〜図５において、符号１００は本発明に係るスライドレールを示し、スライドレール１００は、固定側メンバー１と、固定側メンバー１に摺動自在に保持された中間メンバー２と、中間メンバー２にボールリテーナ４に回転自在に保持されたボール４４・・・を介して摺動自在に保持された移動側メンバー３と、移動側メンバー３と中間メンバー２間に設けられたラッチ装置８と、中間メンバー２と固定側メンバー１間に設けられたロック装置５より構成されている。
【００１５】
すなわち、固定側メンバー１は、基板１０と、上下折曲縁１１、１１よりチャンネル型に形成され、固定側メンバー１のほぼ半分程度の長さとなした合成樹脂製のリテーナ１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、中間メンバー２の収納時ストッパー１４が形成され、基板１０の前端部には前記リテーナ１２の引き出し方向への移動範囲を規制するリテーナ前ストッパー１５、１５が形成されている。
【００１６】
中間メンバー２は、固定側メンバー１とほぼ同長で、基板２０と上下折曲縁２１、２１より固定側メンバー１と同方向の略チャンネル型に形成され、上下折曲縁２１、２１の外面を前記ボール１３・・・が転動し、上下折曲縁２１、２１の内面をボール４４・・・が転動する。  そして、上下折曲縁２１、２１の後端部には、中間メンバー２の最大引き出し時に、前記固定側メンバー１の前ストッパー１５、１５に当接したリテーナ１２の後端に前端部が当接して、中間メンバー２の最大引き出し量を規制するリテーナ後ストッパー２２、２２が形成され、基板２０の前端部にはラッチ装置８を構成する係止突起２３が形成されている。
係止突起２３は、基板２０の前端中央部に一部を移動側メンバー３側に膨出して形成されている。
符号５００は、抜き出された移動側メンバー３の装着を容易に行えるよう中間メンバー２の前端部分に取付けられた合成樹脂製の案内部材を示している。
【００１７】
ボールリテーナ４は、帯状金属板にて中間メンバー２の半分程度の長さとし、前記中間メンバー２の基板２０と移動側メンバー３の基板３０との間に挿入可能な大きさの基板４０と、前記基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３が最大引き出し位置に達した状態で、前記案内部材５００のリテーナ保持部５０１に基板４０が弾性的に外嵌し、保持される。
【００１８】
移動側メンバー３は、固定側メンバー１、中間メンバー２とほぼ同長に形成され、ボールリテーナ４に保持されたボール４４・・・を介して中間メンバー２に摺動自在に保持され、金属製の細条板の短手両端部を外向き円弧状に折り曲げて形成された上下折曲縁３１、３１と基板３０より断面略Ｃ字型に形成されている。
そして、基板３０の内面所定位置にラッチ部材９が設けられ、前記係止突起２３と共にラッチ装置８を構成している。
【００１９】
ラッチ装置８は、図１、図５に示すようにラッチ部材９と係止突起２３より構成され、ラッチ部材９は、取付基板９１と弾性変移部９２より移動側メンバー３の材質より硬いステンレスの板バネ材より略ヘの字形に一体に構成されている。
そして、取付基板９１には、その上下前後端部より一体に突出し、移動側メンバー３の上下折曲縁３１、３１の内面に係止する係止突片９１１・・・と、嵌合孔９０が中央部に形成されている。
一方、移動側メンバー３の基板３０には、前記嵌合孔９０に嵌合する嵌合突部３０１と、取付基板９１の収納側端部に当接してラッチ部材９が収納方向に移動するのを防止する移動規制突部３０２が形成されている。
【００２０】
弾性変移部９２には、移動側メンバー３が中間メンバー２に対して最大引き出し位置で停止するよう、中間メンバー２の係止突起２３が係止する係止孔９３が形成されている。
符号９５は、係止孔９３の引き出し側端面で移動側メンバー３の基板３０方向で収納側に傾斜して突出し、移動側メンバー３が中間メンバー２に収納される時、係止突起２３の引き出し側端面に接触して、弾性変移部９２を移動側メンバー３の基板３０方向に弾性変移させる収納案内突部を示し、符号３６は弾性変移部９２が弾性変移する時の収納案内突部９５の逃し孔を示している。
【００２１】
すなわち、図５に示す状態（中間メンバー２から移動側メンバー３が最も引き出された状態、係止突起２３にラッチ部材９の係止孔９３が係止した状態）から、移動側メンバー３を抜き出す時は、係止突起２３の収納側に連設された操作孔２５より、ドライバーの先端等を押し入れて、ラッチ部材９の弾性変移部９２を移動側メンバー３の基板３０側に変移させて、収納案内突部９５を逃し孔３６内に位置せしめて、係止孔９３と係止突起２３の係止状態を解除し、その状態を維持しながら移動側メンバー３を中間メンバー２より抜き出す。
【００２２】
第１実施例のロック装置５は、中間メンバー２の後端部に設けられたロック部材６と、固定側メンバー１に設けられたストッパー部７より構成されている。
ロック部材６は、引き出し側の端部を中間メンバー２の基板２０の後端部に回動自在に枢止連結された回動取付部６１と、中間メンバー２の後端部より収納側に突出する位置で回動取付部６１に連設されたロック部６２より形成され、ロック部６２の下端部には固定側メンバー１の基板１０方向に突出する係止突片６３が形成され、上端部には上方に突出し、引き出し側を傾斜面とした回動案内突片６４が形成されている。
【００２３】
そして、中間メンバー２の基板２０、回動取付部６１、ロック部６２に形成されたバネ係り２００、６０１、６０２を介して線状バネ６００を配設する事により、ロック部材６には常に係止突片６３がストッパー部７の引き出し側の前面に位置するような方向に回動力が付与されている。
符号６２１は、固定側メンバー１の基板１０側に突出せしめて、引き出し側端面を中間メンバー２の後端面に当接させることで、ロック部材６の必要以上の回動を規制する回動規制突片を示している。
ストッパー部７は、固定側メンバー１の基板１０の一部（ロック部材６の移動経路上の一部）を中間メンバー２の基板２０側に膨出させて形成されており、中間メンバー２が最も引き出された状態で中間メンバー２の後端面が当接する前端面と、前端面から収納方向で中間メンバー２の摺動方向の下面に、ロック部材６の係止突片６３が係止する複数個の係止部７１・・・が形成されている。
【００２４】
本発明の第１実施例は上記の如く構成され、移動側メンバー３を収納した状態で中間メンバー２を固定側メンバー１より引き出すと、リテーナ１２は、中間メンバー２の２分の１の摺動距離を移動し、リテーナ１２の前端が、固定側メンバー１に形成されたリテーナ前ストッパー１５に当接し、同時に中間メンバー２の後端に形成されリテーナ後ストッパー２２がリテーナ１２の後端に当接して、中間メンバー２の固定側メンバー１に対する引き出し方向への摺動は停止する。
【００２５】
次に、中間メンバー２に対し、移動側メンバー３が前方に引き出され、移動側メンバー３の後端がロック装置５の前方に移動したとき、ロック部材６は線状バネ６００の弾性によって、反時計回りの方向に回動し、ロック部材６の係止突片６３がストッパー部７の前端面の前方に位置し、中間メンバー２と固定側メンバー１はロック状態となる。（図３に示す状態）
そして、中間メンバー２に対し移動側メンバー３が最も引き出されると、移動側メンバー３に設けたラッチ部材９の係止孔９３が、中間メンバー３の前端部に形成した
係止突起２３と係止し、移動側メンバー３は最も引き出された状態で停止し、維持される。
【００２６】
そして、修理の為、移動側メンバーと共に引出しあるいは機器類を機器本体より抜き出す場合は、ラッチ部材９を操作して係止突起２３との係止状態を解除して移動側メンバー３を中間メンバー２より抜き出す。
一方、抜き出された移動側メンバー３を中間メンバー２に再び装着する場合は、移動側メンバー３の後端を中間メンバー２の前端に設けられた案内部材５００を介して中間メンバー２の前端に装着し、押し込んでいく。
この時、中間メンバー２と固定側メンバー１はロック状態となっているので、中間メンバー２は不用意に固定側メンバー１内に収納されることがなく安全に装着作業ができる。
そして、移動側メンバー３が所定の位置に達すると、移動側メンバー３の後端がロック部材６の回動案内突片６４を後方に押しやり、線状バネ６００の弾性に抗して、ロック部材６を図３で時計まわりの方向に回動させ、ロック部材６の係止突片６３とストッパー部７の前端面の係止状態を解除し、中間メンバー２は固定側メンバー１に収納されていく。
【００２７】
一方、摺動運動の繰り返しによって、リテーナ１２の位置が初期状態より除々にずれはじめ、リテーナ１２の前端が、前ストッパー１５に当接しても、リテーナ後ストッパー２２がリテーナ１２の後端に当接しないで、中間メンバー２の摺動が停止した状態（図６に示す状態。）であっても、又、リテーナ後ストッパー２２がリテーナ１２の後端に当接しても、リテーナ１２の前端が、リテーナ前ストッパー１５に当接しないで、中間メンバー２の摺動が停止した状態（図７に示す状態。）であっても、ストッパー部７には、中間メンバー２の摺動方向の下面に、複数個の係止部７１・・・が形成されているので、ロック部材６の係止突片６３はいずれかの係止部７１に係止し、中間メンバー２と固定側メンバー１をロック状態とする。
【００２８】
次に第２実施例を図８〜図１０に基づいて説明する。
第２実施例のスライドレール１００は、第1実施例と同形の固定側メンバー１と、固定側メンバー１に摺動自在に保持された中間メンバー２と、中間メンバー２にボールリテーナに回転自在に保持されたボールを介して摺動自在に保持された移動側メンバー３と、移動側メンバー３と中間メンバー２間に設けられたラッチ装置と、中間メンバー２と固定側メンバー１間に設けられた第２実施例のロック装置５０より構成されている。
そして、第２実施例のロック装置５０は、中間メンバー２の後端部に設けられたロック部材６０と、固定側メンバー１に形成されたストッパー部７０より構成されている。
【００２９】
ロック部材６０は、図８に示すように、中間メンバー２の基板２０の後端部で移動側メンバー３の基板３０側に回動自在に取り付ける為の取付孔６０４が先端部に形成され、移動側メンバー３の上下折曲縁（図示せず）間よりやや小さめの上下幅を有し、上下端部に移動側メンバー３の基板３０方向に突出する上下案内突条６１０、６１０を有する取付脚部６１１と、移動側メンバー３が中間メンバー２に収納された時、移動側メンバー３の後端面が当接し、移動側メンバー３と共に、中間メンバー２を固定側メンバー１の収納方向に移動させる、取付脚部６１１の後端部に移動側メンバー３方向に突出して形成された移動規制突部６２０と、移動規制突部６２０の裏面側（固定側メンバー１の基板１０側）で、ストッパー部７０よりやや大きい目の通過用間隙６３１を有しており、さらに固定側メンバー１の基板１０方向に突出する上下２つのストッパー当接部６３０、６３０等より合成樹脂材にて一体に形成されている。
【００３０】
ストッパー部７０は、固定側メンバー１の基板１０の一部（ロック部材６０の移動経路上の一部）を中間メンバー２の基板２０側に膨出させて形成されており、中間メンバー２が最も引き出された状態で後端面が当接する前端面と、前端面から収納方向で、中間メンバー２の摺動方向の上下面に、ロック部材６０のストッパー当接部６３０、６３０の一方が係止する複数個の係止部７０１・・・が形成されている。
尚、第２実施例で、ロック部材６０のストッパー当接部６３０、６３０とストッパー部７０の係止部７０１が上下に設けられているのは、スライドレール１００を左右兼用とする為である。
【００３１】
すなわち、第１実施例では、ロック部材６を常にストッパー部７に係止するよう付勢する手段として線状バネ６００を使用しているので、上下逆に使用されても（上下逆に使用して左右兼用としている。）支障はないが、第２実施例では、ロック部材６０を常にストッパー部７０に係止するよう付勢する手段として、ロック部材６０の自重を利用しているので、上下逆に使用されても目的を達するようストッパー当接部６３０、６３０とストッパー部７０の係止部７０１が上下に対向して設けられている。
【００３２】
本発明の第２実施例は上記の如く構成され、移動側メンバー３を収納した状態で中間メンバー２を固定側メンバー１より引き出すと、リテーナ１２は、中間メンバー２の２分の１の摺動距離を移動し、リテーナ１２の前端が、固定側メンバー１に形成されたリテーナ前ストッパー１５に当接し、同時に中間メンバー２の後端に形成されたリテーナ後ストッパー２２がリテーナ１２の後端に当接して、中間メンバー２の固定側メンバー１に対する引き出し方向への摺動は停止する。
【００３３】
次に、中間メンバー２に対し、移動側メンバー３が前方に引き出され、移動側メンバー３の後端がロック装置５０の前方に移動したとき、ロック部材６０は自重によって後端部が下方に回動し、上方のストッパー当接部６３０の後端がストッパー部７０の上方前端の係止部７０１面の前方に位置し、中間メンバー２と固定側メンバー１はロック状態となる。（図９に示す状態）
そして、中間メンバー２に対し移動側メンバー３が最も引き出されると、移動側メンバー３に設けたラッチ部材９の係止孔９３が、中間メンバー３の前端部に形成した
係止突起２３と係止し、移動側メンバー３は最も引き出された状態で停止し、維持される。
【００３４】
そして、修理の為、移動側メンバーと共に引出しあるいは機器類を機器本体より抜き出す場合は、ラッチ部材９を操作して係止突起２３との係止状態を解除して移動側メンバー３を中間メンバー２より抜き出す。
一方、抜き出された移動側メンバー３を中間メンバー２に再び装着する場合は、移動側メンバー３の後端を中間メンバー２の前端に設けられた案内部材５００を介して中間メンバー２の前端に装着し押し込んでいく。
この時、中間メンバー２と固定側メンバー１はロック状態となっているので、中間メンバー２は不用意に固定側メンバー１内に収納されることがなく安全に装着作業ができる。
【００３５】
そして、移動側メンバー３を中間メンバー２に対し、収納方向に摺動させていくと、中間メンバー２に移動側メンバー３がほぼ収納された状態で、移動側メンバー３の下折曲縁３１の後端縁が、ロック部材６０の取付脚部６１１の下案内突条６１０の下面を上方に押しやってロック部材６０を上方に回動させ、ストッパー当接部６３０を上方に移動させ係止部７０１との係止状態を解除し、同時に通過用間隙６３１をストッパー部７０の前側に位置せしめる事で、中間メンバー２と固定側メンバー１のロック状態を解除する。（図１０に示す状態。）
さらに、移動側メンバー３を中間メンバー２に対し、収納方向に摺動させていくと、移動側メンバー３の後端面がロック部材６０の移動規制突部６２０に当接し、移動側メンバー３は中間メンバー２に収納された状態で、中間メンバー２を固定側メンバー１に収納される方向に摺動し、移動規制突部６２０の後端面が固定側メンバー１の収納時ストッパー１４に当接して、固定側メンバー１に中間メンバー２と移動側メンバー３は収納される。
【図面の簡単な説明】
【００３６】
【図１】本発明の第１実施例のスライドレールの斜視図
【図２】本発明の第１実施例のスライドレールの正面図
【図３】第１実施例ロック装置の拡大正面図
【図４】図３のＡ―Ａ線断面図
【図５】ラッチ装置の拡大断面図
【図６】第１実施例のリテーナの位置と中間メンバーのロック状態の関係を示す第１例
【図７】第１実施例のリテーナの位置と中間メンバーのロック状態の関係を示す第２例
【図８】本発明の第２実施例のスライドレール荷使用されるロック部材の斜視図
【図９】第２実施例のロック装置の拡大正面図
【図１０】第２実施例のロック装置の解除状態を示す拡大正面図
【図１１】従来の中間メンバーのロック状態を示す一部切り欠き正面図
【図１２】従来のリテーナの位置と中間メンバーの非ロック状態の関係を示す第１例
【図１３】従来のリテーナの位置と中間メンバーの非ロック状態の関係を示す第２例
【符号の説明】
【００３７】
１              固定側メンバー
１２            リテーナ
１００          スライドレール
２              中間メンバー
３              移動側メンバー
５              ロック装置
５０            ロック装置
６              ロック部材
６０            ロック部材
７              ストッパー部
７０            ストッパー部
７１            係止部
７０１          係止部
８              ラッチ装置
９              ラッチ部材
【図１】
2006192041.tif 000003
【図２】
2006192041.tif 000004
【図３】
2006192041.tif 000005
【図４】
2006192041.tif 000006
【図５】
2006192041.tif 000007
【図６】
2006192041.tif 000008
【図７】
2006192041.tif 000009
【図８】
2006192041.tif 000010
【図９】
2006192041.tif 000011
【図１０】
2006192041.tif 000012
【図１１】
2006192041.tif 000013
【図１２】
2006192041.tif 000014
【図１３】
2006192041.tif 000015